(57)【特許請求の範囲】
【請求項１】
遊技枠と、前記遊技枠に設けられる遊技盤と、を備えた遊技機であって、
前記遊技盤の後面に対して組み付けられ且つ前後方向へ貫通する開口部を有したベース枠体と、前記ベース枠体により夫々支持されて配置された画像表示ユニット及び演出制御基板と、を備え、
前記ベース枠体は、前記演出制御基板を配置する演出制御基板配置部と、該演出制御基板配置部よりも前方に設けられ前記画像表示ユニットを配置する画像表示ユニット配置部と、該画像表示ユニット配置部に前記画像表示ユニットを案内するための装着案内部と、を備えており、
前記演出制御基板は、前記画像表示ユニット配置部に配置された前記画像表示ユニットの後面側に、後面側から見たときに該画像表示ユニットの後面の少なくとも一部と重なる位置に配置され、
前記装着案内部は、前記演出制御基板が前記演出制御基板配置部に配置された状態で、前記画像表示ユニット配置部に前記画像表示ユニットを着脱自在に案内可能に構成されていることを特徴とする遊技機。
【発明の詳細な説明】
【技術分野】
【０００１】
本発明は、パチンコ遊技機、スロットマシン等の各種遊技機の改良に関し、特に、遊技盤の後面側にベース枠体を介して組み付けられる画像表示装置がベース枠体の背面全体を覆う程度に大型化した場合においても、同じくベース枠体の背面側に組み付けられる演出制御基板と併存させることを可能とした遊技機に関する。
【背景技術】
【０００２】
パチンコ遊技機、スロットマシン等の各種遊技機においては、遊技盤面に設けた液晶表示装置等の画像表示装置に遊技内容と関わりのある絵柄、文字、符号等の種々の画像を表示して、遊技状況を表示したり、演出効果を発揮させるようにしている。
従来の画像表示装置は、遊技盤の背面に配置された液晶ベース枠の背面に前面を当接した状態で固定されており、液晶ベース枠背面のうち画像表示装置によって占有されていない余剰スペースに遊技演出を制御する演出制御基板を配置していた（特許文献１）。
【０００３】
ところで最近では、遊技の演出内容を豊富化、多様化させたり、視覚上の迫力を高めるために、液晶画面を大型化する傾向があるが、面積が限られている液晶ベース枠背面に配置する画像表示装置を大型化すると、同じ液晶ベース枠背面に並置されている演出制御基板、その他の部品を配置するスペースが更に制限を受けて配置できなくなる。
【０００４】
図２０は従来のパチンコ遊技機の背面図であり、図２１はこの遊技機の背面側分解斜視図である。
図示しない遊技機本体の枠体は、遊技盤を支持した図示しない遊技盤取付枠と、遊技盤取付枠を支持した固定枠と、固定枠の一方の側端縁に設けたヒンジ部によって前後方向へ開閉自在に支持されたガラス枠と、を備えている。
遊技盤の背面側には、開口部１００ａを有した液晶ベース枠１００が配置され、液晶ベース枠１００の後面開口の背面側には後面開口を塞ぐように画像表示ユニット（液晶表示装置１１１、及び液晶カバー１１５）１１０が重ねて組み付けられる。液晶カバー１１５の背面には、ランプ中継基板１１６が組み付けられ、ランプ中継基板１１６よりも下側の液晶カバー１１５の背面下部には主基板を収容した主基板ケース１３０が取り付けられる。液晶ベース枠１００に画像表示ユニット１１０の前面を固定した状態で液晶ベース枠背面に形成される余剰スペース内には遊技内容の演出を制御する演出制御基板１２０、１２１、その他の回路基板１２３が配置される。
これらのユニット、部品類を液晶ベース枠背面に取り付けた後で、これらを覆うための裏カバー１３５が組み付けられる。
【０００５】
ところで、上述のように液晶表示装置を含む画像表示ユニット１１０が大型化すると、液晶ベース枠１００背面における余剰スペースが狭くなる傾向がある。特に、液晶表示装置サイズが１９インチ程度に大型化すると液晶ベース枠背面の全てのスペースが液晶表示装置により占有されてしまい、演出制御基板１２０、１２１を配置することができなくなる。
このため、演出制御基板の移設箇所がない場合に液晶表示装置を大型化できなくなったり、或いは演出制御基板を配置する箇所を別途模索するための大幅な設計変更が必要になる等の不具合が生じている。
【先行技術文献】
【特許文献】
【０００６】
【特許文献１】特開２０１０−２４０３０６公報
【発明の概要】
【発明が解決しようとする課題】
【０００７】
以上のように、液晶表示装置の大面積化が進むと、液晶ベース枠背面の余剰スペースが狭小、或いは皆無となって、他の基板や部品類を搭載するスペースがなくなるという問題が生じている。
そこで本発明は、液晶ベース枠の背面全体を覆う程度に大型の液晶表示装置（画像表示装置）が搭載される遊技機においても、構成の複雑化、大型化を回避しつつ、液晶ベース枠に演出制御基板を設置する領域を確保することを目的としている。
特に、遊技盤の背面側にベース枠体を介して組み付けられる液晶表示装置を、演出制御基板とは別個にベース枠体に組み付けることにより、液晶表示装置を組み付けていない状態で演出制御基板を作動させることを可能とした遊技機に関する。
【課題を解決するための手段】
【０００８】
上記目的を達成するため、請求項１の発明に係る遊技機は、遊技枠と、前記遊技枠に設けられる遊技盤と、を備えた遊技機であって、前記遊技盤の後面に対して組み付けられ且つ前後方向へ貫通する開口部を有したベース枠体と、前記ベース枠体により夫々支持されて配置された画像表示ユニット及び演出制御基板と、を備え、前記ベース枠体は、前記演出制御基板を配置する演出制御基板配置部と、該演出制御基板配置部よりも前方に設けられ前記画像表示ユニットを配置する画像表示ユニット配置部と、該画像表示ユニット配置部に前記画像表示ユニットを案内するための装着案内部と、を備えており、前記演出制御基板は、前記画像表示ユニット配置部に配置された前記画像表示ユニットの後面側に、後面側から見たときに該画像表示ユニットの後面の少なくとも一部と重なる位置に配置され、前記装着案内部は、前記演出制御基板が前記演出制御基板配置部に配置された状態で、前記画像表示ユニット配置部に前記画像表示ユニットを着脱自在に案内可能に構成されていることを特徴とする。
【発明の効果】
【０００９】
液晶表示装置の大面積化が進むと、ベース枠体背面の余剰スペースが狭小、或いは皆無となって、他の基板や部品類を搭載するスペースがなくなるという問題が生じている。
本発明によれば、ベース枠体の背面全体を覆う程度に大型の画像表示装置が搭載される遊技機においても、構成の複雑化、大型化を回避しつつ、ベース枠体に演出制御基板を設置する領域を確保することができる。
【図面の簡単な説明】
【００１０】
【図１】本発明の実施形態に係る遊技機の一例としてのパチンコ遊技機の構成例を示した全体正面図である。
【図２】本発明に係る特徴的な構成を備えたベース枠体に画像表示ユニットを組み付けた状態を示す正面図である。
【図３】取付ベースを備えたベース枠体の正面図である。
【図４】図１の背面図である。
【図５】ベース枠体に画像表示ユニットを組み付けた状態を示す背面図である。
【図６】（ａ）及び（ｂ）は図５の状態にあるベース枠体から画像表示ユニットを取り外す手順を示す背面図である。
【図７】（ａ）及び（ｂ）は図５の状態にあるベース枠体から画像表示ユニットを取り外す手順を示す背面側斜視図である。
【図８】ベース枠体と、分解した画像表示ユニットとを示す背面側斜視図である。
【図９】ベース枠体、取付部材、及び演出制御基板の背面側分解斜視図である。
【図１０】取付ベース部分の背面側拡大斜視図（図９のＣ−Ｃ断面図）である。
【図１１】取付ベースに取付部材を取り付けた状態を示す背面側斜視図である。
【図１２】ベース枠体に画像表示ユニットを組み付けた状態を示す背面側要部断面斜視図である。
【図１３】ベース枠体の背面側右端部を示す斜視図である。
【図１４】図１３の要部拡大図である。
【図１５】（ａ）及び（ｂ）はベース枠体に対する画像表示ユニットの位置決め機構の一例を示す説明図である。
【図１６】ベース枠の中央縦断面図（図５のＡ−Ａ断面図）である。
【図１７】図１６の要部拡大断面図である。
【図１８】取付部材を装着したベース枠の要部縦断面図（図５のＢ−Ｂ断面図）である。
【図１９】画像表示ユニットを装着したベース枠の要部縦断面図（図５のＢ−Ｂ断面図）である。
【図２０】従来のパチンコ遊技機の背面図である。
【図２１】従来の遊技機の背面側分解斜視図である。
【発明を実施するための形態】
【００１１】
以下、本発明を図面に示した実施の形態により詳細に説明する。
図１は本発明の実施形態に係る遊技機の一例としてのパチンコ遊技機の構成例を示した全体正面図である。
図１において、遊技機１は、遊技店の島設備に取り付けられる外枠（遊技枠）３００と、外枠３００により回動可能に支持されたガラス枠３１０と、を備えている。外枠３００には遊技球が流下する遊技領域３が形成された遊技盤２が設けられている。ガラス枠３１０は、遊技盤２の前方（遊技者側）において遊技領域３を視認可能に覆うガラス板（図示しない）を支持している。
【００１２】
また、ガラス枠３１０には、回動操作されることにより遊技領域３に向けて遊技球を発射させる操作ハンドル３１１と、音声出力装置（スピーカ）３１２と、複数のランプを有する上下の演出用照明装置３１３ａ、３１３ｂと、押圧操作により演出態様を変更させるための演出ボタン３１４と、左右の演出用可動照明装置３２０Ｌ、３２０Ｒが設けられている。演出用可動照明装置３２０Ｌ、３２０Ｒは、ガラス枠３１０の左上隅及び右上隅に設けられている。
【００１３】
演出用可動照明装置３２０Ｌ、３２０Ｒは、図示しない可動照明部を備えており、図１に示す可動照明部を収納（閉塞）した状態から可動照明部を開放（突出）した状態に自動的に変動させることができるように構成されている。
さらに、ガラス枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
【００１４】
次に、遊技盤２の遊技領域３の構成について説明する。
遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口１３および第２始動口１４が設けられている。
この第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
【００１５】
ここで、第１始動口１３または第２始動口１４に遊技球が入球すると、特別図柄判定用乱数値等を取得し、大当たり遊技を実行する権利獲得の抽選（以下、「大当たり抽選」という）が行われる。また、第１始動口１３または第２始動口１４に遊技球が入球した場合には、所定の賞球（例えば３個の遊技球）が払い出される。
さらに、遊技領域３の右側の領域には、遊技球が通過可能な普通図柄用のゲート１５と、遊技球が入球可能な第１大入賞口１６及び第２大入賞口１７とが設けられている。
このため、操作ハンドル３１１を大きく回動させ、強い力で打ち出された遊技球でないと、ゲート１５と第１大入賞口１６及び第２大入賞口１７とには遊技球が、通過または入賞しないように構成されている。
ゲート１５において遊技球の通過を検出すると、普通図柄判定用乱数値を取得し、「普通図柄の当たり抽選」が行われる。
【００１６】
第１大入賞口１６は、通常は第１大入賞口開閉扉１６ｂによって閉状態に維持されており、遊技球の入球を不可能としている。これに対して、所定の特別遊技が開始されると、第１大入賞口開閉扉１６ｂが開放されるとともに、この第１大入賞口開閉扉１６ｂが遊技球を第１大入賞口１６内に導く受け皿として機能し、遊技球が第１大入賞口１６に入球可能となる。第１大入賞口１６に遊技球が入球すると予め設定された賞球（例えば１５個の遊技球）が払い出される。
【００１７】
第２大入賞口１７は、通常は第２大入賞口可動片１７ｂによって閉状態に維持されており、遊技球の入球を不可能としている。これに対して、所定の特別遊技が開始されると、第２大入賞口可動片１７ｂが開放されるとともに、この第２大入賞口可動片１７ｂが遊技球を第２大入賞口１７内に導く誘導路として機能し、遊技球が第２大入賞口１７に入球可能となる。第２大入賞口１７に遊技球が入球した場合も予め設定された賞球（例えば１５個の遊技球）が払い出される。
さらには、遊技領域３の最下部の領域には、一般入賞口１８、第１始動口１３、第２始動口１４、第１大入賞口１６および第２大入賞口１７のいずれにも入球しなかった遊技球を排出するためのアウト口１９が設けられている。
【００１８】
また、遊技領域３の中央には開口部３Ａが形成されており、開口部３Ａの周縁に沿って遊技球の流下に影響を与える飾り部材６が設けられている。この飾り部材６の略中央部分（開放部）であって遊技盤の背面（後面）側には、液晶表示装置等からなる画像表示装置７が設けられている。この画像表示装置７の周縁には各種演出用可動装置Ａ〜Ｃが設けられている。
この画像表示装置７は、遊技が行われていない待機中に画像を表示したり、遊技の進行に応じた画像を表示したりする。なかでも、後述する大当たり抽選の結果を報知するための３個の演出図柄８が表示され、特定の演出図柄８の組合せ（例えば、７７７等）が停止表示されることにより、大当たり抽選結果として大当たりが報知される。
具体的には、第１始動口１３または第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクター等を表示することによって、大当たりに当選するかもしれないという高い期待感を遊技者に与えるようにもしている。
【００１９】
各演出用可動装置Ａ〜Ｃは、その動作態様によって遊技者に期待感を与えるものである。各演出用可動装置は、例えば画像表示装置の表示画面の周縁に退避した位置から中央寄りに突出した位置に移動したり、変形する等の各種動作を行う。これら演出用可動装置の動作態様によって、遊技者にさまざまな期待感を与えるようにしている。
さらに、上記の各種の演出装置に加えて、音声出力装置３１２は、ＢＧＭ（バックグランドミュージック）、ＳＥ（サウンドエフェクト）等を出力し、サウンドによる演出を行い、演出用照明装置３１３ａ、３１３ｂは、各ランプの光の照射方向や発光色を変更して、照明による演出を行うようにしている。
遊技盤２の左下方には、各種図柄を表示するための図柄表示装置９が設けられている。
受皿ユニット３１５の上面には、一般的にチャンスボタンと呼ばれる演出ボタン３１４が配置されている。演出ボタン３１４の操作は、例えば遊技中における特定のリーチ演出に際し、演出ボタン３１４の操作を促すガイダンスが画像表示装置７に表示されている間有効となる。
【００２０】
次に、図２は本発明に係る特徴的な構成を備えたベース枠体に画像表示ユニットを組み付けた状態を示す正面図であり、図３は取付ベースを備えたベース枠体の正面図であり、図４は図１の背面図であり、図５はベース枠体に画像表示ユニットを組み付けた状態を示す背面図であり、図６（ａ）及び（ｂ）は図５の状態にあるベース枠体から画像表示ユニットを取り外す手順を示す背面図であり、図７（ａ）及び（ｂ）は図５の状態にあるベース枠体から画像表示ユニットを取り外す手順を示す背面側斜視図であり、図８はベース枠体と、分解した画像表示ユニットとを示す背面側斜視図である。
また、図９はベース枠体、取付部材、及び演出制御基板の背面側分解斜視図であり、図１０は取付ベース部分の背面側拡大斜視図（図９のＣ−Ｃ断面図）であり、図１１は取付ベースに取付部材を取り付けた状態を示す背面側斜視図であり、図１２はベース枠体に画像表示ユニットを組み付けた状態を示す背面側要部断面斜視図である。
また、図１３はベース枠体の背面側右端部を示す斜視図であり、図１４は図１３の要部拡大図であり、図１５（ａ）及び（ｂ）はベース枠体に対する画像表示ユニットの位置決め機構の一例を示す説明図である。
また、図１６はベース枠の中央縦断面図（図５のＡ−Ａ断面図）であり、図１７は図１６の要部拡大断面図であり、図１８は取付部材を装着したベース枠の要部縦断面図（図５のＢ−Ｂ断面図）であり、図１９は画像表示ユニットを装着したベース枠の要部縦断面図（図５のＢ−Ｂ断面図）である。
【００２１】
図８等に示すように、遊技盤２の背面（後面）には、前後方向に貫通する開口部３０ａを有したベース枠体（液晶ベース枠）３０が組み付けられて、ベース枠体の背面側（後面側）には開口部３０ａを塞ぐように画像表示ユニット（画像表示装置６１、及び画像表示カバー６５）６０が組み付けられる。画像表示カバー（液晶カバー）６５の背面（後面）には、ランプ中継基板６６が組み付けられ、ランプ中継基板６６よりも下側の画像表示カバー６５の背面下部には主制御基板を収容した主基板ケース９０が取り付けられる。
ベース枠体３０の背面に固定された画像表示ユニット（液晶ユニット）６０の背面側には、背面側（後面側）から見たときに画像表示ユニット背面の少なくとも一部と重なるように、演出制御基板５１、５２が離間して配置されている。つまり、画像表示ユニットと各演出制御基板は共にベース枠体に配置されているが、画像表示ユニットは演出制御基板よりも前方に位置しており、背面から見たときに画像表示ユニットと演出制御基板とはオーバーラップした位置関係にある。また、画像表示ユニット６０は、演出制御基板の前方に設けた画像表示ユニット収納用のギャップ（収納空間）Ｇ内に対して、ベース枠体の側方（左右方向）、上下方向、或いは斜め方向からスライド自在に装着できるように構成されている。つまり、画像表示ユニット６０は、ベース枠体に対してその前後方向以外の方向から収納空間Ｇ内に着脱自在に構成されている。
ベース枠体（液晶ベース）３０は前後方向へ貫通する開口部３０ａを有した略四角形の環状体であり、その環状の前面３１は遊技盤２の背面に添設されて固定される。ベース枠体の背面には各種回路基板、部品類を配置するためのスペースがある。即ち、ベース枠体の背面は、画像表示装置６１（７）の前面外周を支持（配置）するために開口部３０ａの周縁に沿って形成された薄板状の表示ユニット支持部材（画像表示ユニット配置部）３２と、表示ユニット支持部材３２との間に所定のギャップＧを隔てて対向した状態でベース枠体に固定された略Ｌ字状、且つ薄板状の取付ベース３５と、を有している。取付ベース３５は表示ユニット支持部材３２よりも幅広であり、開口部３０ａの内周縁よりも内側に向けて所要長張り出している。
【００２２】
表示ユニット支持部材（画像表示ユニット配置部）３２は、細幅帯状の金属板を四角い環状に構成したものであり、ベース枠体に一体化されている。環状の表示ユニット支持部材３２の内側には開口部３０ａが形成されている。表示ユニット支持部材３２の各辺３２Ａ〜３２Ｄにはその背面に添設した画像表示装置６１の前面をネジ止めするためのビス穴３２ａが形成されている。表示ユニット支持部材３２は、開口部３０ａの周縁に沿って、遊技盤面と並行な姿勢で張出し形成されており、裏側から添設される画像表示装置６１の前面外周縁を支持する。各辺３２Ａ〜３２Ｄは、同一平面上に位置しているため、画像表示装置の前面を各辺に添設してビス止めすることにより、画像表示装置の姿勢を一義的（本例では垂直）に確定することができる。
【００２３】
図９に示すように、ベース枠体３０の前面３１から取付ベース３５背面までの前後厚み寸法Ｗ１に対して、ベース枠体前面３１から表示ユニット支持部材３２までの前後厚み寸法Ｗ２は、Ｗ１＞Ｗ２となっている。つまり、取付ベース３５よりも表示ユニット支持部材３２の方がギャップＧの分だけ前方に位置しているため、取付ベース３５と表示ユニット支持部材３２との間には、画像表示ユニット６０を収納するための空間Ｇが形成される。
ベース枠体の厚み寸法Ｗ１を標準化された寸法とすれば、前面３１から表示ユニット支持部材３２までの前後方向距離Ｗ２は、ベース枠体の背面よりもギャップ（収納空間）Ｇの分だけ前方に位置している。つまり、ベース枠体の前後方向厚みを標準寸法としつつ（増大させずに）ギャップを形成することができる。
表示ユニット支持部材３２の下辺３２Ａの下縁からは後方に向けてガイド面（装着案内部）３３が張出し形成されており、ガイド面３３は横方向からスライドして装着される画像表示ユニット６０の底面（下辺底面）と接してこれをガイドする。ガイド面３３は、表示ユニット支持部材３２を構成する板部材の一部を後方へ向けて屈曲形成したものである。
【００２４】
図１３、図１４に示すように、下辺３２Ａの背面視左端部寄り（画像表示ユニット挿入方向奥部）には、ビス穴３２ａよりも大径であり、且つ水平方向に長い位置決め用の長穴３４が貫通形成されている。長穴３４は、画像表示ユニット６０を収納空間（画像表示ユニット装着部）Ｇ内に完全に装着した際に、画像表示装置６１の対応する前面部位に突設した位置決め用の突起７０（図１５）が嵌合することにより、表示ユニット支持部材３２（画像表示ユニット装着部）と画像表示ユニット６０との間の位置決めが行われるように構成されている。突起７０は長穴３４と整合する楕円形の輪郭を有しており、その一部には傾斜面７０ａが形成されている。傾斜面７０ａは、図５のように収納空間Ｇ内に装着された状態にある画像表示ユニットを、図６のように画像表示ユニット装着部からスライドさせて抜き取る際に、長穴３４内に嵌合していた突起７０をスムーズに離脱させることを可能とする。
【００２５】
図１０乃至図１４に示すように、表示ユニット支持部材の上辺３２Ｂと、その後方に固定された取付ベース３５との間には、画像表示ユニット６０の上辺をスライド自在にガイドするためのガイド空所Ｇ１（装着案内部）が形成される。つまり、取付ベース３５の前面と、表示ユニット支持部材３２との間にはギャップ、即ち収納空間（画像表示ユニット装着部）Ｇが形成されており、ガイド空所Ｇ１は、収納空間Ｇの一部を構成している。
【００２６】
また、表示ユニット支持部材の奥側の辺（背面視で左辺）３２Ｃと取付ベース３５との間には、画像表示ユニットの左辺を嵌合させる空所が形成される。
表示ユニット支持部材の右辺（背面視）３２Ｄの周辺には画像表示ユニット６０の着脱を妨げる障害物が存在しないため、画像表示ユニット６０を表示ユニット支持部材３２と並行にした状態で、表示ユニットの下辺３２Ａをガイド面３３に対応させつつ、上辺３２Ｂをガイド空所Ｇ１内に嵌合させた状態で、右辺３２Ｄ側から左方向へ（遊技盤面と並行に）スライドさせることにより、画像表示ユニットを表示ユニット支持部材３２と取付ベース３５との間に形成される収納空間Ｇ内に収納することができる。
取付ベース３５の背面には、略Ｌ字状の取付部材５０が固定され、取付部材５０の背面には演出制御基板５１、５２がビス止め等により固定配置される。演出制御基板は、遊技盤やベース枠体３０や飾り部材６等によって支持されるギミックの動作や、画像表示装置６１（７）の映像等の遊技に係わる演出を制御する回路基板である。
【００２７】
本例では、取付部材５０は、ベース枠体の開口部３０ａの左上の角隅部（背面視）から縦方向と横方向へ略Ｌ字に張出し形成された取付けベース３５の背面に組み付けられる。取付部材５０の第１の取付面５０ａには第１の演出制御基板５１が添設固定され、第１の取付面の上部から横に延びる第２の取付面５０ｂには第２の演出制御基板５２が添設固定される。なお、第１及び第２の取付面５０ａ、５０ｂは、演出制御基板配置部を構成している。
各演出制御基板５１、５２は、主基板、及びギミックや画像表示装置等と結線されている。
このようにベース枠体（液晶ベース）３０は、演出制御基板５１、５２を配置する部位よりも前方に設けた収納空間（画像表示ユニット装着部）Ｇと、収納空間Ｇに画像表示ユニット６０を側方から着脱自在に装着するための装着案内部３５、Ｇ１と、を備えている。このため、画像表示ユニット６０を障害物が存在しない右辺３２Ｄ側の開放部から横方向へスライドさせることにより収納空間Ｇ内に正確に位置決めしつつ装着することができる。
換言すれば、演出制御基板５１、５２は、収納空間Ｇを回避したベース枠体背面に配置されている。
【００２８】
図６（ｂ）、図７（ｂ）に示すようにベース枠体３０に対して画像表示ユニット６０が装着されていない状態では、ベース枠体の開口部３０ａは閉塞されていない状態にある。この状態においても、演出制御基板５１、５２は、各種ギミックと電気的に接続された状態にあるため、ギミックの動作試験を実施することができる。つまり、画像表示ユニット６０の装着の有無と関係なく、演出制御基板を利用してギミックを作動させることができる。
次に、収納空間Ｇ内に画像表示ユニット６０を装着する場合には、図６（ｂ）（ａ）、図７（ｂ）（ａ）に示すようにベース枠体３０の側方（右側方）から画像表示ユニット６０を横方向にスライドさせることにより下辺３２Ａと上辺３２Ｂに沿って装着することができる。装着後は、表示ユニット支持部材３２の背面に画像表示ユニット６０の前面が当接した状態となるため、ビス穴３２ａを利用して両者を固定する。
画像表示ユニット６０を装着し、主基板、及び画像表示装置６１と各演出制御基板５１、５２との電気的接続を行うことにより、演出制御基板を用いた画像表示装置の動作試験を実施することができる。
ベース枠体から画像表示ユニットを離脱させる場合には、上記と逆の手順をとればよい。
【００２９】
このように演出制御基板５１、５２は画像表示ユニット装着部Ｇよりも後方に位置しており、両者は背面視ではオーバーラップしているものの、干渉しない前後方向位置関係にあるため、ベース枠体３０の背面の面積に匹敵する面積を有した大型の画像表示装置ユニットを装着したとしても、演出制御基板５１、５２、その他の部品を配置する余地をベース枠体の背面位置に確保することができる。
これを換言すれば、本発明では、大型の液晶表示装置等の画像表示装置が搭載される遊技機において、演出制御基板を設置する領域をベース枠体上に確保するため、画像表示装置よりも背面側のベース枠体部位に演出制御基板を配置する領域を確保したものである。言い換えれば、ベース枠体の外周面の適所から内部にかけて画像表示装置を着脱自在に収納する収納空間を形成し、この収納空間内の後方に演出制御基板を配置するようにした。演出制御基板は、画像表示装置の背面側に離間配置されているため、画像表示装置の大きさに影響されることなく、また、ベース枠体を大型化することなく、演出制御基板を配置する領域を十分に確保することができる。
【００３０】
即ち、本発明では、大面積の画像表示ユニットを搭載する遊技機において、ギミックや画像表示装置の演出を制御するための演出制御基板を配置する部位をベース枠体に確保するために、画像表示ユニットを収容する収納空間Ｇをベース枠体の厚み寸法内部に形成すると共に、収納空間Ｇの背面側に演出制御基板を配置する演出制御基板配置部を設けた。更に、ベース枠体の側面に画像表示ユニットを収納空間Ｇ内にスライドさせて着脱させるための装着案内部３３、Ｇ１を設けることにより、ベース枠体の背面方向以外の方向（側方、上方、下方、斜め方向）からの装着、離脱を可能とした。
このため、画像表示ユニットの形状、寸法に影響されることなく、またベース枠体の厚さを増大させることなく、演出制御基板を配置することが可能となる。
【００３１】
また、演出制御基板を、画像表示ユニットとは異なったベース枠体上の部位に独立して配置することが可能となった結果として、画像表示ユニットをベース枠体に取り付けていない状態においても、演出制御基板を作動させてギミックや画像表示装置の映像を試験的に制御することが可能となる。
即ち、従来のようにベース枠体の背面に画像表示ユニットを組み付ける構造では、大面積の画像表示ユニットを搭載することによりベース枠体の背面に演出制御基板を配置するスペースを確保できなくなるため、画像表示ユニットの背面に演出制御基板を搭載せざるを得なかった。このように構成すると、画像表示ユニットの背面に演出制御基板を組み付けた状態でしかギミックとの間の結線ができなくなるため、画像表示ユニットがベース枠体に搭載されていない状態で演出制御基板のみを単独で作動させることが難しかった。
【００３２】
特に、ギミックを製造する業者と、画像表示ユニットを製造する業者とは別個であるため、画像表示ユニットの製造業者は、画像表示ユニットの背面に演出制御基板を組み付け、結線した状態で遊技機のアッセンブリ工場に出荷するのが一般的である。アッセンブリ工場では、演出制御基板を搭載した画像表示ユニットをベース枠体に取付けると共に、ギミック業者から納入されたギミックを遊技盤やベース枠体の所定位置に組み付けた上で演出制御基板と結線を行うことにより、初めてギミックを作動させる試験を行うことが可能となった。
従って、従来は、ベース枠体に画像表示ユニットを搭載しない状態で、ギミックの作動の良否を検証する作業を実施することができなかった。
【００３３】
これに対して本発明では、演出制御基板を、収納空間Ｇとは別個に設けた演出制御基板配置部に配置するようにしてギミックと直接結線できるようにしたので、収納空間Ｇ内に画像表示ユニット６０が配置されていない場合であっても、演出制御基板のみを単独で作動させることができる。
なお、本発明の構造は、小面積の画像表示ユニットを搭載したベース枠体を備えた遊技機に対しても適用することができる。即ち、ベース枠体の外周輪郭内に十分に収まる小面積の画像表示ユニットを搭載する場合においても上記の如き演出制御基板の配置構造を採用することにより、ベース枠体に対して回路基板、その他の部品類を搭載する際のレイアウト自由度を確保することが可能となる。
本発明は、パチンコ遊技機のみならず、スロットマシン、その他、画像表示装置を有した遊技機、ゲーム機一般に適用することができる。
【符号の説明】
【００３４】
１…遊技機、２…遊技盤、３…遊技領域、３Ａ…開口部、７…画像表示装置、８…演出図柄、１３…始動口、１４…始動口、１４ｂ…開閉扉、１５…ゲート、１６…大入賞口、１６ｂ…大入賞口開閉扉、１７…大入賞口、１７ｂ…大入賞口可動片、１８…一般入賞口、１９…アウト口、３０…ベース枠体、３０ａ…開口部、３１…ベース枠体前面、３２…表示ユニット支持部材、３２Ａ…下辺、３２Ｂ…上辺、３２Ｃ…左辺、３２Ｄ…右辺、３２ａ…ビス穴、３３…ガイド面（装着案内部）、Ｇ…収納空間、Ｇ１…装着案内部、３４…長穴、３５…取付ベース、３５…装着案内部、５０…取付部材、５０ａ…取付面、５０ｂ…取付面、５１、５２…演出制御基板、６０…画像表示ユニット、６１…画像表示装置、６５…画像表示カバー、６６…ランプ中継基板、７０…突起、７０ａ…傾斜面、９０…主基板ケース、３１０…ガラス枠、３１１…操作ハンドル、３１２…音声出力装置、３１３ａ…演出用照明装置、３１４…演出ボタン、３１５…受皿ユニット、３２０Ｌ…演出用可動照明装置。
【図１】
0005417482.tif 000002
【図２】
0005417482.tif 000003
【図３】
0005417482.tif 000004
【図４】
0005417482.tif 000005
【図５】
0005417482.tif 000006
【図６】
0005417482.tif 000007
【図７】
0005417482.tif 000008
【図８】
0005417482.tif 000009
【図９】
0005417482.tif 000010
【図１０】
0005417482.tif 000011
【図１１】
0005417482.tif 000012
【図１２】
0005417482.tif 000013
【図１３】
0005417482.tif 000014
【図１４】
0005417482.tif 000015
【図１５】
0005417482.tif 000016
【図１６】
0005417482.tif 000017
【図１７】
0005417482.tif 000018
【図１８】
0005417482.tif 000019
【図１９】
0005417482.tif 000020
【図２０】
0005417482.tif 000021
【図２１】
0005417482.tif 000022